(57)【要約】【課題】胴回りのサイズ調節が容易であり、サイズ調節手段が胴回りに当たって妊婦が不快に感じることがない、マタニティ用ボトムスの提供。【解決手段】マタニティ用ボトムスであって、妊婦の腹部に対応する部分が切り欠かれた前身頃本体部と、当該前身頃本体部の切り欠かれた部分を補うように設けられ着用時に上記腹部を覆う伸縮自在部とを含む前身頃と、表面側に係止部が設けられた後身頃と、着用時に上記伸縮自在部の少なくとも一部を覆うように上記前身頃本体部に取り付けられた伸縮自在の胴締部とを備え、上記胴締部の左右両端には、上記係止部に着脱自在に係止可能な被係止部が設けられ、上記被係止部は、着用時に上記係止部に対する胴周り方向への係止位置を調節可能とされている。【選択図】図３
2011219891.tif 000002
【特許請求の範囲】
【請求項１】
マタニティ用ボトムスであって、
妊婦の腹部に対応する部分が切り欠かれた前身頃本体部と、当該前身頃本体部の切り欠かれた部分を補うように設けられ着用時に前記腹部を覆う伸縮自在部とを含む前身頃と、
表面側に係止部が設けられた後身頃と、
着用時に前記伸縮自在部の少なくとも一部を覆うように前記前身頃本体部に取り付けられた伸縮自在の胴締部とを備え、
前記胴締部の左右両端には、前記係止部に着脱自在に係止可能な被係止部が設けられ、前記被係止部は、着用時に前記係止部に対する胴周り方向への係止位置を調節可能とされている、マタニティ用ボトムス。
【請求項２】
前記係止部および前記被係止部は面ファスナーであることを特徴とする、請求項１に記載のマタニティ用ボトムス。
【請求項３】
前記係止部は雌型の面ファスナーであり、前記被係止部は雄型の面ファスナーであることを特徴とする、請求項２に記載のマタニティ用ボトムス。
【請求項４】
前記後身頃の腰部付近における幅方向中心部が、縦方向に伸縮自在のギャザー部とされ、
前記ギャザー部の形成により、前記幅方向中心部が、妊婦の腰部に沿うように傾斜することを特徴とする、請求項１乃至３いずれか１項に記載のマタニティ用ボトムス。
【請求項５】
前記被係止部は、妊婦の腰の左サイドおよび右サイドに対応する位置に設けられていることを特徴とする、請求項１乃至４いずれか１項に記載のマタニティ用ボトムス。
【請求項６】
前記胴締部は、胴締本体部と、当該胴締本体部の上部左右両端から横方向へ延びる延設片の裏面側に設けられた被係止部とを含み、
前記胴締本体部は、前記延設片より下側の縁部全体が、前記前身頃本体部に取り付けられていることを特徴とする、請求項１乃至５いずれか１項に記載のマタニティ用ボトムス。
【請求項７】
前記胴締部は、胴締本体部と、当該胴締本体部の上部左右両端から横方向へ延びる延設片の裏面側に設けられた被係止部とを含み、
前記胴締本体部は、表面が滑らかであることを特徴とする、請求項１乃至５いずれか１項に記載のマタニティ用ボトムス。
【発明の詳細な説明】
【技術分野】
【０００１】
本発明は、マタニティ用ボトムスに関し、より詳しくは、胴回りのサイズ調節が容易であり、サイズ調節手段が胴回りに当たって妊婦が不快に感じることがない、マタニティ用ボトムスに関する。
【背景技術】
【０００２】
従来のマタニティ用ボトムスとしては、例えば、特許文献１に記載のものが提案されている。特許文献１に記載のマタニティ用ボトムスでは、ボトムス本体の前身頃がウエスト位置の下方で大きく湾曲状に切り欠かれており、この切り欠かれた部分の縁部に伸縮自在のリブニット部が縫着されている。リブニット部は、妊婦の腹部を覆う大きさを有しており、体型変化の激しい妊婦の腹部周りを安定させながらカバーする。
また、このマタニティ用ボトムスには、ウエスト調節手段が設けられている。ウエスト調節手段は、複数のボタンホールが設けられたゴム帯を、リブニット部の上端を裏側に折り返して縫い止めすることにより形成された袋状部に通し、その一端をボトムス本体の一方のサイドの近くで止めると共に他端を他方のサイドの近くで開口する袋状部の開口端から任意に引き出し可能とした構成である。上記他方のサイドの近くに取り付けたボタンをゴム帯のいずれか一のボタンホールに留めることにより腹部回りのサイズ調節を行うことができる。
【先行技術文献】
【特許文献】
【０００３】
【特許文献１】特開２００７−１３１９７３号公報
【発明の概要】
【発明が解決しようとする課題】
【０００４】
しかしながら、上記した従来のマタニティ用ボトムスには、以下の課題があった。
すなわち、従来のマタニティ用ボトムスのウエスト調節手段は、ボタンをゴム帯のいずれかひとつのボタンホールに留めるものであるため、サイズ調節が面倒であり、細かいサイズ調節ができないという課題があった。また、袋状部の開口端から引き出されたループ状のゴム帯が腹部に当たって妊婦が不快に感じることがあり、腹部が大きくなってくるにつれて妊婦が痛いと感じることもあった。また、腹部が大きくなってくると、リブニットの凹凸が上衣に現れてしまうことがあった。また、妊娠期間が進むにつれて腹部が大きく前に迫り出し、これに伴い、背中部分の肉や皮膚が腹部側に引っ張られ、背中部分が若干前方へ反った状態になる。背中部分が前方へ反った状態になると、上記した従来のマタニティ用ボトムスは、図１２および図１３に示されるように、後身頃１００と妊婦の背中部分の間に隙間が開いてしまい、後身頃１００がだぼついて、マタニティ用ボトムス１０１がずれ落ちてしまうことがあった。
【０００５】
本発明は、このような実情に鑑みてなされたもので、胴回りのサイズ調節が容易であり、サイズ調節手段が胴回りに当たって妊婦が不快に感じることがない、マタニティ用ボトムスの提供を目的とする。
【課題を解決するための手段】
【０００６】
第１の発明は、
マタニティ用ボトムスであって、
妊婦の腹部に対応する部分が切り欠かれた前身頃本体部と、当該前身頃本体部の切り欠かれた部分を補うように設けられ着用時に上記腹部を覆う伸縮自在部とを含む前身頃と、
表面側に係止部が設けられた後身頃と、
着用時に上記伸縮自在部の少なくとも一部を覆うように上記前身頃本体部に取り付けられた伸縮自在の胴締部とを備え、
上記胴締部の左右両端には、上記係止部に着脱自在に係止可能な被係止部が設けられ、上記被係止部は、着用時に上記係止部に対する胴周り方向への係止位置を調節可能とされている、マタニティ用ボトムスである。
【０００７】
第１の発明によれば、まず、妊婦がマタニティ用ボトムスを履くと、前身頃の伸縮自在部が腹部を覆う。伸縮自在部の伸縮性により、前身頃は妊婦の腹部にフィットする。これにより、マタニティ用ボトムスの股上が身体に仮止めされた状態となる。次いで、胴締部の左右両端を後方へ引っ張りつつ被係止部を係止部に係止させる。係止させるとき、腹部の大きさに応じて適度な締まり具合となるように、被係止部の係止位置を調節する。被係止部を係止部に係止させることにより、胴締部が伸縮自在部の上から妊婦の胴回りを適度な強さでしっかりと締める。これにより、マタニティ用ボトムスの股上が身体に本止めされた状態となる。つまり、マタニティ用ボトムスを身体に仮止めした状態で、胴締部の左右両端を後方へ引張りながら被係止部を係止すると、マタニティ用ボトムスが身体にしっかりと本止めされる。よって、このマタニティ用ボトムスは、胴回りのサイズ調節が容易であるとともに、腹部の大きさに拘わらず、しっかりと身体に装着することができる。また、従来のようにサイズ調節手段が胴回りに当たって妊婦が不快に感じることもない。
【０００８】
第２の発明は、第１の発明において、
上記係止部および上記被係止部は面ファスナーであることを特徴とする。
【０００９】
第２の発明によれば、係止部および被係止部が面ファスナーであるので、胴回りのサイズ調節がより一層容易となる。
【００１０】
第３の発明は、第２の発明において、
上記係止部は雌型の面ファスナーであり、上記被係止部は雄型の面ファスナーであることを特徴とする。
【００１１】
第３の発明によれば、後身頃の表面側に設けられた係止部が雌型の面ファスナーなので、上衣が面ファスナーに引っ掛からない。
【００１２】
第４の発明は、第１乃至第３いずれかの発明において、
上記後身頃の腰部付近における幅方向中心部が、縦方向に伸縮自在のギャザー部とされ、
上記ギャザー部の形成により、上記幅方向中心部が、妊婦の腰部に沿うように傾斜することを特徴とする。
【００１３】
第４の発明によれば、ギャザー部の形成により、後身頃の幅方向中心部が、妊婦の腰部に沿うように傾斜する。よって、妊娠期間が進むにつれて腹部が大きく前に迫り出し、これに伴って、背中部分が若干前方へ反った状態になっても、後身頃が妊婦の背中部分にフィットするので、マタニティ用ボトムスがずれ落ちない。
【００１４】
第５の発明は、第１乃至第４いずれかの発明において、
上記被係止部は、妊婦の腰の左サイドおよび右サイドに対応する位置に設けられていることを特徴とする。
【００１５】
第５の発明によれば、被係止部が妊婦の腰の左サイドおよび右サイドに対応する位置に設けられているので、妊婦は被係止部を容易に係止させることができる。
【００１６】
第６の発明は、第１乃至第５いずれかの発明において、
上記胴締部は、胴締本体部と、当該胴締本体部の上部左右両端から横方向へ延びる延設片の裏面側に設けられた被係止部とを含み、
上記胴締本体部は、上記延設片より下側の縁部全体が、上記前身頃本体部に取り付けられていることを特徴とする。
【００１７】
第６の発明によれば、胴締本体部は、延設片より下側の縁部全体が、前身頃本体部に取り付けられているので、胴締本体部の延設片より下方で伸縮自在部が露出せず、アウターウエアとしての見栄えがよくなる。
【００１８】
第７の発明は、第１乃至第６いずれかの発明において、
上記胴締部は、胴締本体部と、当該胴締本体部の上部左右両端から横方向へ延びる延設片の裏面側に設けられた被係止部とを含み、
上記胴締本体部は、表面が滑らかであることを特徴とする。
【００１９】
第７の発明によれば、胴締本体部の表面が滑らかなので、腹部が大きくなってきても、胴締本体部の表面形状が上衣に現れない。
【発明の効果】
【００２０】
本発明によれば、胴回りのサイズ調節が容易であり、サイズ調節手段が胴回りに当たって妊婦が不快に感じることがない、マタニティ用ボトムスを提供することができる。
【図面の簡単な説明】
【００２１】
【図１】本発明に係るマタニティ用ボトムスの正面図
【図２】本発明に係るマタニティ用ボトムスの背面図
【図３】本発明に係るマタニティ用ボトムスを、正面側と背面側から同時に見た状態で示す図
【図４】本発明に係るマタニティ用ボトムスの着用途中の状態を示す正面図
【図５】本発明に係るマタニティ用ボトムスの着用途中の状態を示す背面図
【図６】本発明に係るマタニティ用ボトムスの着用途中の状態を示す側面図
【図７】本発明に係るマタニティ用ボトムスの着用完了の状態を示す正面図
【図８】本発明に係るマタニティ用ボトムスの着用完了の状態を示す背面図
【図９】本発明に係るマタニティ用ボトムスの着用完了の状態を示す側面図
【図１０】本発明に係るマタニティ用ボトムスの着用完了の状態を示す側面図であり、妊娠中期の着用状態を示す図
【図１１】本発明に係るマタニティ用ボトムスの着用完了の状態を示す側面図であり、妊娠後期の着用状態を示す図
【図１２】従来のマタニティ用ボトムスの着用完了の状態を示す側面図であり、妊娠中期の着用状態を示す図
【図１３】従来のマタニティ用ボトムスの着用完了の状態を示す側面図であり、妊娠後期の着用状態を示す図
【発明を実施するための形態】
【００２２】
（実施形態）
本発明に係るマタニティ用ボトムスについて、図面を参照しつつ説明する。
図１は、本発明に係るマタニティ用ボトムスの正面図である。図２は、本発明に係るマタニティ用ボトムスの背面図である。図３は、本発明に係るマタニティ用ボトムスを、正面側と背面側から同時に見た状態で示す図である。
【００２３】
本発明に係るマタニティ用ボトムス１は、妊娠初期、妊娠中期、および妊娠後期、いずれの妊婦でも着用することができるマタニティ用ボトムスである。マタニティ用ボトムス１は、アウターウエアとして使用される着衣であり、パンツ型、スカート型のいずれにも適用可能である。図示例では、パンツ型のものを示している。
【００２４】
図１乃至３に示されるように、マタニティ用ボトムス１は、前身頃２と、後身頃３と、胴締部４とを備えている。
【００２５】
前身頃２は、妊婦の腹部に対応する部分が円弧状に切り欠かれた前身頃本体部２１と、前身頃本体部２１の切り欠かれた部分を補うように設けられ且つ着用時に腹部を覆う伸縮自在部２２とを含む。
【００２６】
前身頃本体部２１の上端縁の裏面には、ゴム帯が縫着されている。前身頃本体部２１を構成する生地の種類は特に限定されないが、例えば、デニム、布帛等を採用することができる。前身頃本体部２１は、伸縮性生地であることが好ましいが、非伸縮性生地であってもよい。
【００２７】
伸縮自在部２２の上端縁の裏面には、ゴム帯が縫着されている。伸縮自在部２２を構成する生地の種類は特に限定されないが、例えば、伸縮性を有するポリエステル生地、ニット生地、トリコット生地、ポリウレタン混合生地、綿ストレッチ生地、等を採用することができる。
【００２８】
後身頃３は、表面側に係止部５が設けられている。後身頃３の腰部付近における幅方向中心部が、縦方向に伸縮自在のギャザー部３１とされている。ギャザー部３１の形成により、後身頃３の幅方向中心部が、妊婦の腰部に沿うように傾斜する。ギャザー部３１は、後身頃３の生地の裏面に、伸ばした状態のゴム帯を縫着することで、形成することができる。つまり、縫着したゴム帯が縮むことで、ギャザーが形成される。
【００２９】
胴締部４は、着用時に伸縮自在部２２の少なくとも一部を覆うように前身頃本体部２１に取り付けられている。図示例では、胴締部４は、着用時に伸縮自在部２２の全部を覆うような大きさ、形状とされている。
【００３０】
胴締部４は、胴締本体部４１と、胴締本体部４１の上部左右両端から横方向へ延びる延設片４２の裏面側に設けられた被係止部６とを含む。胴締本体部４１は、延設片４２より下側の縁部全体が、前身頃本体部２１の切り欠かれた部分の縁部に取り付けられている（例えば縫着）。胴締本体部４１は、伸縮自在とされている。胴締本体部４１は、表面が滑らかである。
【００３１】
被係止部６は、着用時に係止部５に対する胴周り方向への係止位置を調節可能とされている。被係止部６は、妊婦の腰の左サイドおよび右サイドに対応する位置に設けられている。被係止部６は、係止部５に着脱自在に係止可能である。
【００３２】
係止部５および被係止部６の形態は、特に限定されるものではないが、例えば、双方とも面ファスナーとすることができる。双方を面ファスナーとする場合、係止部５を雌型の面ファスナーとし、被係止部６を雄型の面ファスナーとすることが好ましい。図示例では、係止部５を雌型の面ファスナーとし、被係止部６を雄型の面ファスナーとしている。なお、図２および図３に示されるように、延設片４２の先端部に被係止部６（雄型の面ファスナー）を設け、延設片４２の基部にも係止部５（雌型の面ファスナー）を設けてもよい。図示例では、左右の延設片４２において被係止部６と係止部５が隣り合っている。マタニティ用ボトムス１を着用する際、被係止部６を後身頃３の係止部５に係止する直前まで、延設片４２を二つ折りにして被係止部６を延設片４２の係止部５に係止しておくことで、被係止部６が他の衣服などに引っ掛かることがなく、マタニティ用ボトムス１をより容易に着用することができる。また、マタニティ用ボトムス１を脱ぐ際、まず被係止部６を後身頃３の係止部５から取り外し、その直後に延設片４２を二つ折りにして被係止部６を延設片４２の係止部５に係止することで、被係止部６が他の衣服などに引っ掛かることがなく、マタニティ用ボトムス１をより容易に脱ぐことができる。
【００３３】
なお、係止部５および被係止部６は、相互に着脱自在であればよく、係止部５が胴周り方向に複数列に配置された、線ファスナー、鉤ホック、スナップ等であってもよい。この場合、被係止部６を、複数列に配置された係止部５のいずれかと選択的に係止することで、係止位置を調節可能となる。
【００３４】
次に、マタニティ用ボトムス１の着用方法について説明する。
図４乃至図６は、それぞれ、マタニティ用ボトムス１の着用途中の状態を示す正面図、背面図、側面図である。図７乃至図９は、それぞれ、マタニティ用ボトムス１の着用完了の状態を示す正面図、背面図、側面図である。
【００３５】
まず、図４乃至６に示される如く、伸縮自在部２２が腹部を覆うように、妊婦がマタニティ用ボトムス１を履く。すると、伸縮自在部２２の伸縮性により、前身頃２は妊婦の腹部にフィットする。これにより、マタニティ用ボトムス１の股上が身体に仮止めされた状態となる。なお、図６では、胴締本体部４１が中段付近で外側に折れ曲がった状態となっている。
【００３６】
次いで、図７乃至９に示される如く、胴締部４の左右両端にある被係止部６（雄型の面ファスナー）付近を後方へ引っ張りつつ被係止部６を係止部５（雌型の面ファスナー）に係止させる。係止させるとき、腹部の大きさに応じて適度な締まり具合となるように、被係止部６の係止位置を胴回り方向に調節する。被係止部６を係止部５に係止させることにより、胴締部４が伸縮自在部２２の上から妊婦の胴回りを適度な強さでしっかりと締める。これにより、マタニティ用ボトムス１の股上が身体に本止めされた状態となる。つまり、マタニティ用ボトムス１を身体に仮止めした状態で、胴締部４の左右両端にある被係止部６付近を後方へ引張りながら被係止部６を係止すると、マタニティ用ボトムス１が身体にしっかりと本止めされる。
よって、マタニティ用ボトムス１は、胴回りのサイズ調節が容易であるとともに、腹部の大きさに拘わらず、しっかりと身体に装着することができる。また、従来のようにサイズ調節手段が胴回りに当たって妊婦が不快に感じることもない。
【００３７】
マタニティ用ボトムス１は、係止部５および被係止部６が面ファスナーであるので、胴回りのサイズ調節がより一層容易となる。
【００３８】
また、マタニティ用ボトムス１は、後身頃３の表面側に設けられた係止部５が雌型の面ファスナーなので、上衣が面ファスナーに引っ掛からない。
【００３９】
図１０は、マタニティ用ボトムス１の着用完了の状態を示す側面図であり、妊娠中期の着用状態を示す図である。図１１は、マタニティ用ボトムス１の着用完了の状態を示す側面図であり、妊娠後期の着用状態を示す図である。
【００４０】
図１０および図１１に示されるように、マタニティ用ボトムス１は、ギャザー部３１の形成により、後身頃３の腰部付近の幅方向中心部が、妊婦の腰部に沿うように傾斜する。よって、妊娠期間が進むにつれて腹部が大きく前に迫り出し、これに伴って、背中部分が若干前方へ反った状態になっても、後身頃３が妊婦の背中部分にフィットするので、マタニティ用ボトムス１がずれ落ちない。
【００４１】
また、マタニティ用ボトムス１は、被係止部６が妊婦の腰の左サイドおよび右サイドに対応する位置に設けられているので、妊婦は被係止部６を容易に係止させることができる。
【００４２】
また、マタニティ用ボトムス１では、胴締本体部４１は、延設片４２より下側の縁部全体が、前身頃本体部２１に取り付けられているので、胴締本体部４１の下側縁部より下方で伸縮自在部２２が露出せず、アウターウエアとしての見栄えがよくなる。
【００４３】
また、マタニティ用ボトムス１は、胴締本体部４１の表面が滑らかなので、腹部が大きくなってきても、胴締本体部４１の表面形状が上衣に現れない。
【産業上の利用可能性】
【００４４】
本発明は、妊娠初期から妊娠後期までの全妊娠期間に亘って妊婦が着用する、マタニティ用ボトムス等として利用可能である。
【符号の説明】
【００４５】
１    マタニティ用ボトムス
２    前身頃
２１    前身頃本体部
２２    伸縮自在部
３    後身頃
３１    ギャザー部
４    胴締部
４１    胴締本体部
４２    延設片
５    係止部
６    被係止部
【図１】
2011219891.tif 000003
【図２】
2011219891.tif 000004
【図３】
2011219891.tif 000005
【図４】
2011219891.tif 000006
【図５】
2011219891.tif 000007
【図６】
2011219891.tif 000008
【図７】
2011219891.tif 000009
【図８】
2011219891.tif 000010
【図９】
2011219891.tif 000011
【図１０】
2011219891.tif 000012
【図１１】
2011219891.tif 000013
【図１２】
2011219891.tif 000014
【図１３】
2011219891.tif 000015